(57)【特許請求の範囲】
【請求項１】
天面パネルに開封部分を区画する破断線が形成され、背面パネルの上辺に蓋パネルが連設され、蓋パネルと天面パネルの開封部分とが貼着されてなる紙カートンであって、天面パネルの後側の一辺に補強片を連設し、その補強片を折り曲げるだけで背面パネルとは貼着せずに背面パネルの内側に位置させており、背面パネルの両側辺に連設した折込みフラップには表側に向かう凸エンボスを形成し、底面パネルに連設する内側側面パネルには、組立時に折込みフラップの凸エンボスと重ならないようにするために切欠部を設けておき、折込みフラップの凸エンボスに糊を付けて外側側面パネルと貼り合わせることにより、折込みフラップを天面パネルに連設する外側側面パネルに固定したことを特徴とする紙カートン。
【発明の詳細な説明】
【技術分野】
【０００１】
本発明は、板紙からなるカートンの技術分野に属し、詳しくは、菓子類を始めとして、各種生活用品等の物品を収納して販売する際に好適に用いられるトップオープン型の紙カートンに関するものである。
【背景技術】
【０００２】
従来より、このタイプの紙カートンとして、天面パネルと蓋パネルを重ねて接着しておき、蓋パネルをその摘み部分を摘んで持ち上げると、天面パネルの一部が破断線のところで切り取られて蓋パネル側に移行し、ワンタッチで天面パネルを開封することができ、また蓋パネルの先端の摘み部分を天面パネルの切れ目線に差し込むことで再封を可能とした紙カートンが知られている。
【０００３】
【特許文献１】実公昭５３−５３６２９号公報
【発明の開示】
【発明が解決しようとする課題】
【０００４】
上記した紙カートンは、一枚のブランクから形成されるが、このブランクは、天面パネルに開封部分を区画する破断線を設け、さらに天面パネルの後側の一辺に貼着片を連設した形状をしており、全体を偏平に折り畳んでサック貼りし、そのサック貼り状態で保管、搬送され、内容物を収納する時点で起函して組み立てられる。
【０００５】
そして、サック貼りは、貼着片を背面パネルの上部に貼着するとともに、破断線で区画された天面パネルの一部を蓋パネルと貼着した状態で折り畳まれる。このため、サック貼りしたものを角筒状に起こした時に、内側になる天面パネルと貼着片の逃げ場がなく、シワができるという問題がある。
【０００６】
これを回避するために、天面パネルの後側の辺に背面パネルの内側に位置するパネルを介して貼着片を設け、サック貼り時に貼着片を底面パネルに貼着することが行われているが、これではブランクの面積が大きくなり、用紙の面取りが悪くなってコスト高となってしまう。また、蓋パネルの後側にヒンジとなる折線を設け、その折線より後側の部分を天面パネルと貼着することも行われているが、これでは開けた時の開口面積が小さくなり、内容物の取出しが困難になるという問題がある。
【０００７】
本発明は、このような問題点に鑑みてなされたものであり、その目的とするところは、ブランクの面積を大きくすることなく、開口面積を小さくすることなく、サック貼りして起函してもシワの発生することがないようにしたトップオープン型の紙カートンを提供することにある。
【課題を解決するための手段】
【０００８】
上記の目的を達成するため、本発明の紙カートンは、天面パネルに開封部分を区画する破断線が形成され、背面パネルの上辺に蓋パネルが連設され、蓋パネルと天面パネルの開封部分とが貼着されてなる紙カートンであって、天面パネルの後側の一辺に補強片を連設し、その補強片を折り曲げるだけで背面パネルとは貼着せずに背面パネルの内側に位置させており、背面パネルの両側辺に連設した折込みフラップには表側に向かう凸エンボスを形成し、底面パネルに連設する内側側面パネルには、組立時に折込みフラップの凸エンボスと重ならないようにするために切欠部を設けておき、折込みフラップの凸エンボスに糊を付けて外側側面パネルと貼り合わせることにより、折込みフラップを天面パネルに連設する外側側面パネルに固定したことを特徴としている。
【発明の効果】
【０００９】
本発明の紙カートンは、サック貼りする際に、蓋パネルと天面パネルの開封部分とを貼着するが、天面パネルの後側に連設した補強片は折り曲げるだけとし、起函した後で背面パネルに連設した折込みフラップを側面パネルに固定することで、箱としての形状を維持するようにできるので、サック貼り時には、蓋パネルと天面パネルの開封部分とを貼着するだけとなるため、組立時にサック貼り状態から角筒状に起函した際にシワが生じるようなことがない。また、従来のものに比べてブランクの面積をいちじるしく大きくすることがないし、開口面積を小さくすることもない。
【発明を実施するための最良の形態】
【００１０】
次に、本発明の実施の形態について図面を参照しながら詳細に説明する。
【００１１】
図１は本発明に係る紙カートンの一例を示す斜視図、図２は図１に示す紙カートンを組み立てるブランクの展開図である。
【００１２】
図２のブランクは、紙器用の板紙を打ち抜いて形成されたもので、図示のように、互いに平行な折線ａ，ｂ，ｃ，ｄを介して天面パネル１１、前面パネル１２、底面パネル１３、背面パネル１４、蓋パネル１５が順次連設されており、さらに天面パネル１１の反対側の辺に折線ｅを介して補強片１６が連設されている。そして、天面パネル１１の左右辺にそれぞれ外側側面パネル１７が連設され、前面パネル１２の左右辺にそれぞれ折込みフラップ１８が連設され、底面パネル１３の左右辺にそれぞれ内側側面パネル１９が連設され、背面パネル１４の左右辺にそれぞれ折込みフラップ２０が連設されている。
【００１３】
天面パネル１１には、周回する破断線αにより開封部分１１ａが区画されている。そして、蓋パネル１５はその先端中央付近が摘み部１５ａとして僅かに膨らんだ形状とされ、その摘み部１５ａの内側に円弧状のスリット１５ｂが設けられており、天面パネル１１には開封部分１１ａの外側で前面パネル１２寄りのところに蓋パネル１５のスリット１５ｂと対応させて直線状のスリット１１ｂが設けられている。
【００１４】
背面パネル１４の折込みフラップ２０には、表側に向かう凸エンボス２０ａが形成されており、隣接する内側側面パネル１９には、組立時に凸エンボス２０ａと重ならないようにするために切欠部１９ａが設けられている。
【００１５】
上記のブランクを組み立てるには、まず図３に示すようにサック貼り状態とする。具体的には、折線ａのところで天面パネル１１に対して前面パネル１２，底面パネル１３、背面パネル１４及び蓋パネル１５を折り曲げ、天面パネル１１の開封部分１１ａに糊を塗布してから、折線ｃのところで背面パネルと蓋パネルを折り曲げることで、蓋パネル１５を天面パネル１１に重ねて貼り合わせる。
【００１６】
そして、充填工程において、このサック貼りしたブランクを折線折線ａ，ｂ，ｃ，ｄで角筒状に起こす。この時、天面パネル１１の後側にある補強片１６は、折線ｅのところで折り曲げられて背面パネルの内側に位置する。補強片１６は起函時に折り曲げるので、天面パネル１１と補強片１６の間の折線ｅは、押罫の途中に切込のあるリード罫で形成するのが望ましい。次いで、一方の側部にて、折込みフラップ１８，２０を内側に折り曲げてから、内側側面パネル１９と外側側面パネル１７をこの順にそれぞれ内側に折り曲げて互いに接着することで閉鎖する。この時、折込みフラップ２０の凸エンボス２０ａに糊を付けておき、外側側面パネル１７と貼り合わせる。
【００１７】
このように、一方の側部を閉じてから、他方の側部開口から内容物を投入する。そして、内容物を投入した後、他方の側部にて、折込みフラップ１８，２０を内側に折り曲げてから、内側側面パネル１９と外側側面パネル１７をこの順にそれぞれ内側に折り曲げて互いに接着することで閉鎖する。この時、一方の側部と同様、折込みフラップ２０の凸エンボス２０ａに糊を付けておき、外側側面パネル１７と貼り合わせる。これにより、図１に示す直方体形状をした横置きタイプの紙カートンが作成される。なお、分かりやすくするため、図４に図１の紙カートンを一部透視状態で図示してある。
【００１８】
図１（図４）に示す紙カートンを開封するには、蓋パネル１５の先端にある摘み部１５ａを引っ張り上げるようにする。これにより、天面パネル１１の開封部分１１ａが破断線αに沿って破られ、図５に示す如く開封部分１１ａの付いた蓋パネル１５が折線ｄをヒンジとして開けられる。このように開封すると、天面パネル１１の後側にある補強片１６は背面パネル１４と貼着されてはいないが、背面パネル１４に連設した折込みフラップ２０が外側側面パネル１９に貼着されているので、箱としての形状を維持することができる。また、天面パネル１１はその後側に折曲げ状態の補強片１６があることで、撓むようなこともない。
【００１９】
このように開封した後、開けた蓋パネル１５を元に戻し、摘み部１５ａの内側にある円弧状のスリット１５ｂの部分を凹ませ、スリット１５ｂで形成される円弧状凸部を天面パネル１１のスリット１１ａに差し込んで係止することにより図６に示すように蓋をすることができる。
【００２０】
以上、本発明の実施の形態について詳細に説明してきたが、本発明による紙カートンは、上記実施の形態に何ら限定されるものではなく、本発明の趣旨を逸脱しない範囲において種々の変更が可能であることは当然のことである。
【００２２】
例えば、天面パネルに設ける開封部分は、どのような形状でもよく、用途やデザインに応じて適宜決めればよい。また、上記の例では、蓋パネルは天面パネルより僅かに小さな形状としたが、前面パネルに掛かるようなサイズ構わない。また、摘み部の形状やその止め方は任意に決めればよい。
【図面の簡単な説明】
【００２３】
【図１】本発明に係る紙カートンの一例を示す斜視図である。
【図２】図１に示す紙カートンを組み立てるブランクの展開図である。
【図３】図２のブランクをサック貼り状態で示す平面図である。
【図４】図１の紙カートンを一部透視状態で示す斜視図である。
【図５】図１の紙カートンを開封した状態で示す斜視図である。
【図６】図５に示す状態から閉じた状態で示す斜視図である。
【符号の説明】
【００２４】
１１  天面パネル
１１ａ  開封部分
１１ｂ  スリット
１２  前面パネル
１３  底面パネル
１４  背面パネル
１５  蓋パネル
１５ａ  摘み部
１５ｂ  スリット
１６  補強片
１７  外側側面パネル
１８  折込みフラップ
１９  内側側面パネル
１９ａ  切欠部
２０  折込みフラップ
２０ａ  凸エンボス
α  破断線
【図１】
0005258081.tif 000002
【図２】
0005258081.tif 000003
【図３】
0005258081.tif 000004
【図４】
0005258081.tif 000005
【図５】
0005258081.tif 000006
【図６】
0005258081.tif 000007